(57)【要約】【課題】形成施術後においても施術部位の弾力性を維持し、引きつりを生じることがなく、自然な形態を維持することができる、人体の弾力性に同化しやすい程度の伸縮性を有する材質を採用した形成施術用糸を提供するとともに、これに好適な形成施術用針を組み合わせて用いることにより、皮膚のたるみ、または皺などを除去する形成施術方法を提供すること。【解決手段】本発明の形成施術用糸は、糸本体に、引っ張り方向には抵抗が小さく引き戻し方向には抵抗が大きい返しが連続的に形成されてなる形成施術用糸であって、伸縮性のある材質からなることを特徴とする。【選択図】図１
2008200195.tif 000002
【特許請求の範囲】
【請求項１】
糸本体に、引っ張り方向には抵抗が小さく引き戻し方向には抵抗が大きい返しが連続的に形成されてなる形成施術用糸であって、
伸縮性のある材質からなることを特徴とする形成施術用糸。
【請求項２】
前記糸本体に、引っ張り方向には抵抗が大きく引き戻し方向には抵抗が小さい順目の返しと、引っ張り方向には抵抗が小さく引き戻し方向には抵抗が大きい逆目の返しとが、境界点を境に両方向に形成されてなることを特徴とする請求項１に記載の形成施術用糸。
【請求項３】
前記伸縮性のある材質が、シリコーン、天然ゴム、合成ゴム、ホルマール化ポリビニルアルコール、ポリプロピレン、ポリウレタン、ポリテトラフロロエチレンからなる群より選ばれる少なくとも１種である請求項１または２に記載の形成施術用糸。
【請求項４】
さらにアミノ酸および／またはサイトカインを塗布または浸透させたことを特徴とする請求項１〜３のいずれかに記載の形成施術用糸。
【請求項５】
前記アミノ酸が、バリン、ロイシン、イソロイシン、アラニン、アルギニン、グルタミン、グルタミン酸、アスパラギン酸、プロリン、システイン、グリシン、セリンおよびリジンからなる群より選ばれる少なくとも１種であることを特徴とする請求項４に記載の形成施術用糸。
【請求項６】
針本体の内部を中空状に形成するとともに針本体の両端部を斜めに切断して刺通部とし、これら刺通部のうちの一方の刺通部を閉塞、他方の刺通部を外部に対して開口させてなる形成施術用針の針本体に形成された孔に、請求項１〜５のいずれかに記載の形成施術用糸を通し、該形成施術用針を人体における施術部位に挿入して、所定の形状に該形成施術用糸を挿通した後、該形成施術用糸の端部を固定し、次いで該形成施術用糸を引っ張り上げることによって、施術部位の皮膚のたるみ、または皺を除去することを特徴とする形成施術方法。
【発明の詳細な説明】
【技術分野】
【０００１】
本発明は、形成施術用糸、特に皮膚のたるみ、または皺などを除去する施術に好適な形成施術用糸、ならびに該形成施術糸を用いた形成施術方法に関する。
【背景技術】
【０００２】
従来から形成施術用糸として、外科手術に利用されているポリエステル、ナイロン等の合成繊維を原料とした糸が多く用いられていた。これらの形成施術用糸は、引張強度が高く、また体内での組織反応が少ないという利点を有しており、人体の所望部位を縫合等する形成施術においても、好適に用いられている。
【０００３】
形成施術には種々の施術があり、顔面、胸およびおしりなどの皮膚を引き締め、皮膚のたるみ、または皺（以下、「皺等」ともいう）などを除去する施術も行われている。このような施術の際には形成施術用の糸および針が用いられ、所望の部位にその針を刺し通すことで糸を体内へ誘導し、次いで糸を引っ張り上げることによって、所望の部位の皮膚または肉を引き上げ、皺等を除去する処置が施される。
【０００４】
これら形成施術用の糸は、ポリエステル、ナイロン等の合成繊維を材質とした外科手術用の糸をそのまま採用するだけでなく、特定の形状を施した形成施術用の糸も利用されている。この特定の形状としては、たとえば、引っ張り方向と引き戻し方向とで抵抗が相違する返しが形成されているような形状である。
【０００５】
このような特定の形状が付与された形成施術用の糸であると、施術部位に糸を挿通した後において糸を引っ張り上げる際、この返しによって糸周辺の皮膚または肉を引き込み易く、皺等を効果的に除去することができる。
【発明の開示】
【発明が解決しようとする課題】
【０００６】
しかしながら、このような特定の形状を有した形成施術の糸であっても、その材質がポリエステル、ナイロン等の合成繊維であるとその伸縮性が不十分であるため、施術後において施術部位の弾力性が低下したり、その施術部位が本来有する柔軟性に欠けたりする場合がある。また、必要以上に引きつりが生じ、施術部位に不自然な形態を付与するおそれがある。
【０００７】
そこで、形成施術後においても施術部位の弾力性を維持し、引きつりを生じることがなく、自然な形態を維持することができる、人体の弾力性に同化しやすい程度の伸縮性を有する材質を採用した形成施術用糸を提供するとともに、これに好適な形成施術用針を組み合わせて用いることにより、皮膚のたるみ、または皺などを除去する形成施術方法を提供することを課題とする。
【０００８】
また、前記形成施術用糸に特定のアミノ酸および／またはサイトカインを塗布または浸透させることによって、施術部位にさらに美容効果を付与することができることを課題とする。
【課題を解決するための手段】
【０００９】
本発明の形成施術用糸は、糸本体に、引っ張り方向には抵抗が小さく引き戻し方向には抵抗が大きい返しが連続的に形成されてなる形成施術用糸であって、
伸縮性のある材質からなることを特徴としている。
【００１０】
前記糸本体に、引っ張り方向には抵抗が大きく引き戻し方向には抵抗が小さい順目の返しと、引っ張り方向には抵抗が小さく引き戻し方向には抵抗が大きい逆目の返しとが、境界点を境に両方向に形成されていてもよい。
【００１１】
前記伸縮性のある材質は、シリコーン、天然ゴム、合成ゴム、ホルマール化ポリビニルアルコール、ポリプロピレン、ポリウレタン、ポリテトラフロロエチレンからなる群より選ばれる少なくとも１種であるのが好ましい。
【００１２】
本発明の形成施術用糸は、さらにアミノ酸および／またはサイトカインを塗布または浸透させていてもよく、該アミノ酸は、バリン、ロイシン、イソロイシン、アラニン、アルギニン、グルタミン、グルタミン酸、アスパラギン酸、プロリン、システイン、グリシン、セリンおよびリジンからなる群より選ばれる少なくとも１種であるのが望ましい。
【００１３】
本発明の形成施術方法は、針本体の内部を中空状に形成するとともに針本体の両端部を斜めに切断して刺通部とし、これら刺通部のうちの一方の刺通部を閉塞、他方の刺通部を外部に対して開口させてなる形成施術用針の針本体に形成された孔に、本発明の形成施術用糸を通し、該形成施術用針を人体における施術部位に挿入して、所定の形状に該形成施術用糸を挿通した後、該形成施術用糸の端部を固定し、次いで該形成施術用糸を引っ張り上げることによって、施術部位の皮膚のたるみ、または皺を除去することを特徴としている。
【発明の効果】
【００１４】
本発明の形成施術用糸によれば、所望の施術部位において、施術後も半永久的に弾力性を維持することができるとともに、引きつりを生じることがなく、自然な形態を維持することができる。
【００１５】
また、前記形成施術用糸とこれに好適な施術用針とを用いることによって、皺等の除去効果に優れた形成施術を容易に行うことができる。
さらに、特定のアミノ酸および／またはサイトカインを塗布または浸透させた形成施術用糸とすることで、施術部位の皮膚を活性化させ、老化を低減するとともに美容効果をも付与することができる。
【発明を実施するための最良の形態】
【００１６】
次に本発明の形成施術用糸、および形成施術方法について、図面を参照しながら実施例を交え、具体的に説明する。
＜形成施術用糸＞
本発明の形成施術用糸（以下、「本発明の施術用糸」ともいう。）は、特定の形状を有し、かつ伸縮性のある材質を用いて形成される。
【００１７】
前記特定の形状とは、形成施術用糸本体に、引っ張り方向には抵抗が小さく引き戻し方向には抵抗が大きい返しが連続的に形成されてなる形状をいう。このような形状を有することにより、施術部位に糸を挿通した後において糸を引っ張り上げる際、この返しによって糸周辺の皮膚または肉を引き込み易く、皺等を効果的に除去することができる。
【００１８】
具体的には、たとえば図１に示すように、施術用糸８としては、糸本体８ａの周面に、返し１０が具備されていることが好ましい。糸本体８ａにこのような返し１０が具備されていれば、返し１０の作用により、糸本体８ａの左側の端部に結び目１５を付けた状態で、施術用糸８を矢印Ｃ方向に引っ張れば、返し１０の作用により、生体組織１２を施術用糸８とともに矢印Ｃ方向に引っ張ることが可能になる。
【００１９】
また、前記特定の形状は、形成施術用糸本体に、引っ張り方向には抵抗が大きく引き戻し方向には抵抗が小さい順目の返しと、引っ張り方向には抵抗が小さく引き戻し方向には抵抗が大きい逆目の返しとが境界線を境に両方向に形成されてなる形状であってもよい。
【００２０】
具体的には、たとえば図２に示すように、返し１０は一方向（仮に、引っ張り方向Ｃに対して抵抗の大きい図３の返し１０を順目とする）に限定されるものではなく、順目の返し１０と逆目の返し１６との両方が設けられていてもよい。
【００２１】
すなわち、図２の施術用糸１４では、糸本体１４ａに、順目の返し１０と逆目の返し１６とが、境界点Ｐを挟んで形成されている。順目の返し１０は、引っ張り方向（矢印Ｃ方向）には抵抗が大きく、引き戻し（矢印Ｄ）方向には抵抗が小さい。一方、逆目の返し１６は、引っ張り方向（Ｃ方向）には抵抗が小さく、引き戻し方向（Ｄ方向）には抵抗が大きい。
【００２２】
このように方向の異なる返し１０、１６が形成された施術用糸１４の場合は、糸全体の長さが予め設定されている。すなわち、４０ｃｍ、５０ｃｍ、７０ｃｍなどのように、切断する前に糸の長さが予め設定される。
【００２３】
図４に示すような形状であると、施術用糸の中央部に境界を位置させることによって、該境界を境に、糸に形成されたすべての返しが糸を引き上げる方向に対して抵抗を大きくすることができる。したがって、たとえば、施術部位において施術用糸をＵ字状またはＶ字状に挿通する場合、Ｕ字状またはＶ字状の中央部に境界点Ｐを配置すれば、一本の糸を施術部位に挿通させるだけで、相反する方向に糸を引っ張り上げることが可能となり、かつ施術部位において必要以上に施術痕を残留させるおそれがない。
【００２４】
本発明の施術用糸の材質は、伸縮性を有する材質であれば特に限定されない。伸縮性を有する材質を用いれば、施術後においても施術部位に生じ易い引きつりを低減することができる。また、施術部位に半永久的に自然な弾力性、および柔軟性を付与することができるので、施術後の部位に直接触れても形成施術に起因する違和感を生じるおそれがない状態を半永久的に維持することができる。さらに、施術部位周辺の動きに対しても柔軟に対応することができる。
【００２５】
上記伸縮性を有する材質は、医療用材料として好適に用いられるものであれば、特に限定されない。医療用材料とは、たとえば、手術用縫合糸のほか、人工血管、骨折接合材、歯科材料、創傷被覆材、人工皮膚、コンタクトレンズ、眼内レンズ、人工靱帯、人工弁、人工関節摺動部材、メッシュ、医療用不織布、ステント、クリップ、ホッチキス、人工硬膜、組織再生用足場、癒養防止材、ディスポーザブル用注射器、カテーテル、輸液、血液バック、チューブ、手術用手袋、ガウン、シーツ、またはフィルターなどに用いられる材料が挙げられる。
【００２６】
伸縮性を有する材質としては、具体的には、シリコーン、天然ゴム、合成ゴム、ホルマール化ポリビニルアルコール、ポリプロピレン、ポリウレタン、ポリテトラフルオロエチレンからなる群より選ばれる少なくとも１種であるのがより好ましい。これらは１種単独で用いてもよく、２種以上組み合わせて用いてもよい。なかでも、シリコーン、ホルマール化ポリビニルアルコール、ポリプロピレン、ポリウレタン、ポリテトラフルオロエチレンは、従来より採用されていたポリエステル、ナイロン等の合成繊維と比較して、正常皮膚により近似した伸縮性および柔軟性を有しているため、特に好適である。
【００２７】
なお、ホルマール化ポリビニルアルコールとは、ホルマリンによってポリビニルアルコ
ールをホルマール化したものを意味する。
これらの伸縮性を有する材質の含有量は特に制限されないが、施術用糸の材質全量１００重量％中、通常１０〜１００重量％、好ましくは３０〜９０重量％、より好ましくは５０〜８０重量％の量で含有される。
【００２８】
また、これらの材質と他の材質とをブレンドして用いてもよい。他の材質としては、具体的には、たとえば、ポリエチレン、ポリエステル、ポリアミド、ポリカーボネート、ポリフッ化ビニリデン、ポリ塩化ビニル、ポリアセタール、スチレン、スチレン系樹脂、ポリアクリロニトリル、エチレンビニルアルコール共重合体、エチレン酢酸ビニル共重合体、ポリメチルメタクリレート、ポリサルフォン、またはこれらのブレンド物などが挙げられる。
【００２９】
その他、本発明の効果を損なわない範囲で、必要に応じて従来公知の熱安定剤、抗酸化剤、紫外線防止剤、光安定剤、着色剤、帯電防止剤、滑剤、核剤、難燃剤、充填剤などをブレンドしてもよい。
【００３０】
本発明の施術用糸は、さらにアミノ酸および／またはサイトカインを塗布または浸透させて用いるのが望ましい。
アミノ酸としては、バリン、ロイシン、イソロイシン、アラニン、アルギニン、グルタミン、グルタミン酸、アスパラギン酸、プロリン、システイン、グリシン、セリンおよびリジンからなる群より選ばれる少なくとも１種であるのが好ましく、１種単独で用いてもよく、または２種以上組み合わせて用いてもよい。これらのアミノ酸を本発明の施術用糸に塗布または浸透させることによって、施術部位の老化を低減するとともに美容効果を付与することができる。また、人体における施術用糸の親和性および付着性をも向上させることができる。
【００３１】
具体的には、たとえば、バリン、ロイシン、およびイソロイシンは、新陳代謝を促進して運動エネルギー源として機能するとともに筋力アップに効果をもたらす。グルタミン酸は保湿作用があり、皮膚にうるおいを与える効果を奏する。プロリンは皮膚を構成するコラーゲンの主要成分であり、肌にハリをもたせることができる。システインは皮膚に含まれるメラニン色素の産生を抑制する効果を奏する。
【００３２】
サイトカインとは、細胞が産生するタンパク質であり、それに対するレセプターを持つ細胞に働きかけ、細胞の増殖、分化または機能発現を行うものである。
サイトカインとしては、具体的には、たとえば、インターロイキン、リフォカイン、ケモカイン、インターフェロン、ＦＧＦまたはＥＧＦなどの細胞増殖因子、造血因子、細胞増殖因子、細胞傷害因子、アディポカイン、または神経栄養因子などが挙げられる。これらは１種単独で用いてもよく、２種以上組み合わせて用いてもよい。これらのサイトカインを本発明の施術用糸に塗布または浸透させることによって、施術部位の細胞の増殖、分化または機能発現をもたらすことができ、老化を低減するとともに美容効果を付与することができる。
【００３３】
これらのアミノ酸およびサイトカインは、アミノ酸またはサイトカインをそれぞれ単独で用いてもよく、アミノ酸とサイトカインとを組み合わせて用いてもよい。これらは、施術の際、本発明の施術用糸に直接塗布してもよく、施術前にあらかじめ本発明の施術用糸に充分浸透させて用いてもよい。これにより、皮膚内層において、施術用糸に接する部位を介して特定のアミノ酸を吸収させることができ、所定の部位における皺等の除去だけでなく、美容効果等をも付与することが可能となる。
【００３４】
なお、本発明の施術用糸は編み糸、モノフィラメントなどに限定されず、その製造方法
についても特に限定されないため、公知の方法、たとえば簡易型溶融紡糸機などを用いることにより製造することができる。
【００３５】
＜形成施術法＞
本発明の形成施術法は、人体における所定の部位の皮膚のたるみ、または皺を除去する施術に好ましく適用される。これらの形成施術としては、たとえば、目元のたるみおよび皺取り、顔の皺取り、頬のたるみ取り、額の皺取り、首の皺取り、鼻元の皺取りなどの顔面のたるみおよび皺とり形成施術；垂れ下がった胸の整え、豊胸などのバスト形成施術；垂れ下がったおしりの整えなどの体型形成施術などが挙げられる。
【００３６】
本発明の施術用糸は、特定の形成施術用針（以下、「施術用針」ともいう）と組み合わせて用いるのが好ましい。前記特定の施術用針とは、具体的には、たとえば図３に示すような形状を有する施術用針である。この施術用針２は、例えば、全体の長さが約１４０ｍｍ、直径が約１ｍｍ〜２ｍｍ程度の針として製造されるため、説明の都合上、径方向と長さ方向との縮尺の割合は異なっている。
【００３７】
図４に拡大して示したように、針本体２ａの内部は、中空部４となっており、この中空部４が糸の通り道となっている。また、針本体２ａの両端部は、斜めに切断されて刺通部Ａ，Ｂとされている。これら刺通部Ａ，Ｂのうち一方の刺通部Ａは閉塞され、他方の刺通部Ｂは外部に対して開口されている。
【００３８】
さらに、閉塞した刺通部Ａに近い側壁には、孔６が形成され、この孔６は中空部４に開口している。
針本体２ａは、例えば、チタンあるいはチタン合金などから形成されていてもよく、針が挿入されやすいように摩擦抵抗の小さいフッ素樹脂がコーティングされていてもよい。
【００３９】
また、孔６は長孔であることが好ましいが、長孔以外であってもよく、特に限定ない。さらに、孔６は、１つに限定されず、所定間隔離間して２つ以上形成されていてもよい。また、孔６は針本体２ａの両側に貫通して形成されていてもよい。
【００４０】
両方向の返し１０，１６が形成された図２の施術用糸１４と、図３の施術用針２とを用いて施術を行なう場合は、例えば、以下のようにして使用する。
すなわち、図５に示したように、施術用針２の中空部４に、両方向の返し１０，１６が形成された施術用糸１４がセットされている。施術用糸１４は孔６から中空部４を通り、端部が開口された刺通部Ｂに向かって挿入されている。
【００４１】
そして、使用に際しては、図５に示したように、刺通部Ｂから施術用糸１４の端部が露出しない状態を初期状態とする。この初期状態から、図６に示したように、施術用針２を該当する部分の生体組織１２内に突き刺して、矢印Ｅ方向に進ませる。施術用針２の刺通部Ｂを、図７に示したように生体組織１２から露出させた後、さらに施術用針２を矢印Ｅ方向に進ませる。その後、図８に示したように、施術用針２の大部分が生体組織１２から突出し、かつ施術用針２の孔６が生体組織１２から露出しない状態まで矢印Ｅ方向に進んだら、図９に示したように、施術用針２を所定の方向に傾倒させる。そして、施術用針２を矢印Ｆ方向すなわち戻る方向に進ませる。すると、施術用糸１４は、施術用針２とともに図１０に示したように、境界点Ｐを生体組織１２内に残したまま、矢印Ｆ方向に進む。この方向への進行がさらに続いて、刺通部Ａが生体組織１２を通過したら、図１１に示したように、施術用針２を生体組織１２から引き抜く。このとき、施術用糸１４の返し１６側を掴んだ状態で引き抜くことが好ましい。
【００４２】
これにより、施術用針２が生体組織１２から引き抜かれ、施術用糸１４のみが生体組織
１２内に残存することになる。
そして、生体組織１２から露出された施術用糸１４の両端部を、矢印Ｆ方向に引っ張って、片方ずつに結び目を設ければ、返し１６、１０の作用により、生体組織１２を矢印Ｆ方向に引っ張ることができる。あるいは施術用糸１４の両端部を１つに結び合わせても良い。
【００４３】
このような施術方法により、例えば、垂れ下がった頬のたるみを引き上げたり、目の周りのしわなどを伸ばすことが可能となる。また、生体組織１２に針が通過する部分は、矢印Ｅ方向に進む場合に１箇所、矢印Ｆ方向に進む場合に１箇所の合計２箇所であるため、針通過部が傷痕として残る虞も少なくなる。よって、美容外科の分野で極めて有効である。
【００４４】
このような施術方法を採用することにより、例えば、頬のたるみを引き上げる場合は、図１２に示したように、例えば、矢印Ｘの位置で針２を刺し通し、さらにＹ方向に針２を戻すことにより、糸１４を略Ｕ字状に配置する。その後、両端部を結び合わせる。このとき、針２が生体組織を通過する部分は、上記したように２箇所である。
【００４５】
このように施術用糸１４を残すことにより、返し１０、１６の作用により頬のたるみを効果的に引き上げることができる。また、施術部位において必要以上に施術痕を残留させることがない。
【００４６】
なお、施術用針を挿入して施術用糸を体内に挿通する位置および形状は特に限定されず、目的に応じて、直線状、Ｕ字状、Ｖ字状、Ｏ字状、またはジグザグ状に挿通してもよい。
【００４７】
以上、本発明の一実施例について説明したが、本発明は上記実施例に何ら限定されない。例えば、返し１０，１６を設ける場合、返し１０あるいは返し１６間のピッチ、大きさ、糸本体の径などは限定されない。
【００４８】
また、上記実施例では、針本体２ａに孔６が一個形成された例を示しているが、２個以上形成されていても良い。このように孔６を複数個形成すれば、必要に応じて針本体２ａに対する糸の通る位置を選択することができる。
【図面の簡単な説明】
【００４９】
【図１】図１は本発明に係る施術用糸の拡大図で、生体組織内に通過した状態を示す概略図である。
【図２】図２は本発明に係る他の施術用糸の拡大図である。
【図３】図３は使用する施術用針の正面図である。
【図４】図４は図１に示した施術用針の拡大断面図である。
【図５】図５は図３に示した施術用針に図２の施術用糸を通したときの初期状態の断面図である。
【図６】図６は図５に示した施術用針と施術用糸を利用して生体組織の内部に針を刺したときの概略図である。
【図７】図７は図６からさらに進んで生体組織の内部に針が通過したときの概略図である。
【図８】図８は図７からさらに進んで生体組織から針を引き戻す前の概略図である。
【図９】図９は図８の状態から針を傾かせたときの概略図である。
【図１０】図１０は図９に示した状態から戻る方向に針を進ませるときの概略図である。
【図１１】図１１は図１０に示した状態から針を完全に抜いたときの概略図である。
【図１２】図１２は本実施例の糸と針とを利用して、実際に頬のたるみを引き上げる施術例を示した概略図である。
【符号の説明】
【００５０】
２        施術用針
２ａ      針本体
４        中空部
６        孔
８        施術用糸
８ａ      糸本体
１０      返し（順目）
１２      生体組織
１４      施術用糸
１６      返し（逆目）
Ａ、Ｂ    刺通部
Ｐ        境界点
【図１】
2008200195.tif 000003
【図２】
2008200195.tif 000004
【図３】
2008200195.tif 000005
【図４】
2008200195.tif 000006
【図５】
2008200195.tif 000007
【図６】
2008200195.tif 000008
【図７】
2008200195.tif 000009
【図８】
2008200195.tif 000010
【図９】
2008200195.tif 000011
【図１０】
2008200195.tif 000012
【図１１】
2008200195.tif 000013
【図１２】
2008200195.tif 000014